(57)【要約】【課題】便器に連通する流体管内に水分を含んで膨張して詰った邪魔物を簡単に除去することができる流体管中の流れ邪魔物の除去具を提供する。【解決手段】流体管内に少許間隔を存して挿通可能な筒体２の一端部に、流れ邪魔物を係止する係止杆２ａを固定すると共に、該筒体２の他端部に引き出し具の鉤部に係合可能な係合部２ｂを設けた該筒体２と、該筒体２内に流れ邪魔物を押圧して塊状物に形成する押圧ロッド３ｂと、その先端に固着した押圧板３ｃとからなる押圧具３との組合せからなる。【選択図】        図１
2004339808.tif 000002
【特許請求の範囲】
【請求項１】
流体管内に少許間隔を存して挿通可能な筒体の一端部に、流れ邪魔物を係止する係止杆を固定すると共に、該筒体の他端部に引き出し具の鉤部に係合可能な係合部を設けた流体管中の流れ邪魔物の除去具。
【請求項２】
前記筒体と、該筒体内に流れ邪魔物を押圧して塊状物に形成する押圧具との組合せからなる請求項１に記載の流体管中の流れ邪魔物の除去具。
【請求項３】
前記押圧具は押圧ロッドとその先端に固着した押圧板とからなる請求項２に記載の流体管中の流れ邪魔物の除去具。
【請求項４】
前記押圧板の上面の縁部を前記筒体の係合部に係合可能な鉤部に形成し、前記押圧具に引き出し具の機能を具備した請求項３に記載の流体管中の流れ邪魔物の除去具。
【請求項５】
前記押圧板の下面に、前記筒体の係合可能な鉤部を突設し、前記押圧具に引き出し具の機能を具備した請求項３に記載の流体管中の流れ邪魔物の除去具。
【請求項６】
前記引き出し具は引き出しロッドと、その先端部に形成した鉤部と、該引き出しロッドの根部に設けた把持部とからなる請求項１乃至請求項３のいずれか１に記載の流体管中の流れ邪魔物の除去具。
【発明の詳細な説明】
【０００１】
【発明の属する技術分野】
本発明は、刑務所などの特別な施設に設けたトイレ用の便器その他に詰った邪魔物を簡単に除去できる流体管中の流れ邪魔物の除去具に関する。
【０００２】
【従来の技術】
従来、刑務所や隔離室のある病院などの特別な施設に設けたトイレ用の便器には、職員などを困惑させるために故意に下着などの衣類を詰め込んだり、又、病院などの施設のトイレの便器にも子供や大人用のオムツや飲み物の空き缶が投入されて配管が詰ったりし、これらの邪魔物を引っ掛け棒や吸引カップなどを使用し苦労して除去していた。
【０００３】
【発明が解決しようとする課題】
従来、刑務所などの施設のトイレ用の便器に詰め込まれた衣類や投入されたオムツなどは、便器に連通する流体管内で水を含んで膨張するため管壁に対する大きな摩擦側圧を生じて、従来の前記引っ掛け棒や吸引カップなどでは簡単に引き抜くことができず、除去するのに大変な苦労をしており、時にはトイレの床面をはがして配管を切断するなど、時間と共に補修の費用が多大に掛かる厄介な問題があった。
【０００４】
本発明はこの問題点を解消し、便器その他に連通する流体管に詰った邪魔物を簡単に除去することができる流体管中の流れ邪魔物の除去具を提供することを目的とする。
【０００５】
【課題を解決するための手段】
本発明は上記の目的を達成すべく、流体管内に少許間隔を存して挿通可能な筒体の一端部に、流れ邪魔物を係止する係止杆を固定すると共に、該筒体の他端部に引き出し具の鉤部に係合可能な係合部を設けた。
【０００６】
【発明の実施の形態】
本発明の１実施の形態を図１及び図２により説明する。
【０００７】
本発明の１実施の形態である流体管中の流れ邪魔物の除去具１は、筒体２と引き出し具４兼用の押圧具３との組合せからなる。
【０００８】
前記筒体２は所定外径のステンレスなどの腐蝕に強い金属製で、やや長目の丈夫な筒状体からなり、その外周面２ｃはトイレ用の便器Ａに連通する流体管Ｂ内に少許間隔を存して挿通可能に形成され、該筒体２の一端部に流れ邪魔物を係止するための係止杆２ａが固定され、他端部には前記引き出し具４の鉤部４ａに係合可能な係合部２ｂが設けられている。
【０００９】
前記係止杆２ａはステンレスなどからなる略丸棒状体に形成され、前記筒体２の一端部側に筒の中心を通る様に横架されている。
【００１０】
前記係合部２ｂは前記筒体２の他端部の内面に図１の如く小さな三日月状の金属板により形成され、斜下方に向けて１乃至２個突設するか又は図２に示す如く該筒体２の外周面２ｃの上方側の１部を該筒体２の内方に切り裂いて係合部２ｂを形成してもよい。
【００１１】
前記押圧具３は先端部に手で持つための把持部３ａを設けたロッド３ｂの下端部に円板状の押圧板３ｃを設けて形成されており、該押圧板３ｃの上面の縁部を前記引き出し具４の鉤部とし、前記押圧具３に該引き出し具４の機能を具備するようにした。
【００１２】
次に本発明の１実施の形態である流体管中の流れ邪魔物の除去具１の使用方法を図面により説明する。
【００１３】
図３は刑務所などの部屋内の片隅に設置されたトイレ用の便器Ａの断面図を示し、該便器Ａに連通する流体管ＢにはＰ字トラップやＳ字トラップなどのトラップＣが設けられており、該流体管Ｂ中に、前記筒体２を、係止杆２ａの固定された一端部側を下にして挿入すると図示のＰ字トラップやＳ字トラップなどのトラップＣの曲がり部分において停止する。
【００１４】
この状態で用便しても、前記係止杆２ａはその上側が丸く形成されているので大便は容易に通過する。しかし、もし、故意に下着やオムツＤを便器Ａ内に流したとすると、図３に示す如く該オムツＤはその一部が筒体２内に入っても残りの部分が該筒体２の上方にはみ出た状態で流体管Ｂ内に留まり、該オムツＤは更に水分を含んで膨張して該流体管Ｂの内側面を押圧し、かくて、この膨張した状態の該オムツＤは大きな摩擦側圧を生じてこの状態のまま上方に引き上げることはできない。
【００１５】
そこで、図４に示す如く押圧具３を手に持ってその押圧板３ｃを流体管Ｂ内に挿入し、該押圧板３ｃの下面側で下着やオムツＤを筒体２内に押し込んで塊状物に形成する。
【００１６】
この押圧具３で下着やオムツＤを筒体２内に押し込むことにより、下着やオムツＤから水分がでると共に膨張して流体管Ｂの側面を押圧していた下着やオムツＤの部分を無くすことができる。
【００１７】
その後該押圧具３の押圧板３ｂを更に押し込んで図５の如く筒体２の係合部２ｂに該押圧板３ｂの上面の縁部を係合させて図６に示す如く該筒体２を流体管Ｂより簡単に引き上げることができる。
【００１８】
前述した実施の形態の変形例として、図７に示す如く前記押圧具３の押圧板３ｃの下面に、前記筒体２の係合部２ｂに係合可能な鉤部３ｄを突設してもよい。
【００１９】
又、図８は本発明の他の実施の形態を示し、該実施の形態においては、引き出し具４を前記押圧具３とは別に準備し、該引き出し具４は、引き出しロッド４ｂと該引き出しロッド４ｂの先端部に形成した鉤部４ｃと、該引き出しロッド４ｂの根部に形成した把持部４ａからなり、該把持部４ａを手に持って鉤部４ｃを筒体２の係合部２ｂに係合し、該筒体２を流体管Ｂより引き出すようにした。
【００２０】
尚、下着やオムツＤを押圧具３で筒体２内に押し込んでも係止杆２ａにより係止されて更にトラップＣ内に流入することはない。又、下着やオムツＤでなく飲料などの空き缶の場合であっても係止杆２ａにより係止され、はさみ棒などにより該空き缶を簡単に取り出すことができる。
【００２１】
又、上記の如く排出管Ｂが垂直の場合を示したが、トラップＣの手前の流体管が水平方向であってもよく、水平の場合は筒体２の係止杆２ａは下流に向けて挿入し、高速道路のサービスエリア内のトイレにおいても使用可能である。
【００２２】
【発明の効果】
この様に本発明によると、一端部に係止杆と他端部に係合部を有する筒体を便器に連通する流体管内に挿入し、該流体管に膨張して詰った流れ邪魔物を押圧具により該筒体内に塊状に押し込んで、該筒体自体と共に引き出すようにしたので、容易に流体管中の流れ邪魔物を除去できる効果を有する。
【図面の簡単な説明】
【図１】本発明の１実施の形態である除去具を構成する筒体と押圧具の斜視図である。
【図２】筒体の断面図である。
【図３】筒体内へ流れ邪魔物が挿入された状態の説明図である。
【図４】押圧具の押圧板により流れ邪魔物を押圧したときの説明図である。
【図５】押圧具の押圧板の上面の縁部が筒体の係合部に係合した状態の説明図である。
【図６】押圧具により筒体を引き上げる状態の説明図である。
【図７】押圧具の変形例の斜視図である。
【図８】本発明の他の実施の形態の引き出し具の斜視図である。
【符号の説明】
１    流れ邪魔物の除去具
２    筒体
２ａ  係止杆
２ｂ  係合部
３    押圧具
３ａ  把持部
３ｂ  ロッド
３ｃ  押圧板
４    引き出し具
４ｂ  鉤部
Ｂ    流体管
【図１】
2004339808.tif 000003
【図２】
2004339808.tif 000004
【図３】
2004339808.tif 000005
【図４】
2004339808.tif 000006
【図５】
2004339808.tif 000007
【図６】
2004339808.tif 000008
【図７】
2004339808.tif 000009
【図８】
2004339808.tif 000010